(57)【要約】【課題】本発明は割引情報配信方法及びシステムに関し、操作性よく確実にクーポン券を取得することができる割引情報配信方法及びシステムを提供することを目的としている。【解決手段】携帯端末１から該携帯端末１の２点間の位置情報と時刻情報と共に電子クーポン取得依頼を受信する受信手段３ｅと、２地点間の距離と所要時間から速度を算出する速度算出手段３ｃと、該速度算出手段３ｃで算出された速度がある一定速度以上の場合は車で移動中と判断する判断手段３ｃと、該判断手段３ｃが車で移動中であると判断した時、近辺の電子クーポンのある店舗でかつ駐車場のある店舗を検索する検索手段３ｃと、検索した店舗の電子クーポンを前記携帯端末１に配信する配信手段３ｅとを有して構成される。【選択図】図１
2010224884.tif 000002
【特許請求の範囲】
【請求項１】
携帯端末とクーポン配信サーバとが公衆通信網基地局と公衆通信網を介して接続されたシステムにおいて、
前記クーポン配信サーバが携帯端末から該携帯端末の２点間の位置情報と時刻情報と共に電子クーポン取得依頼を受信するステップ１と、
前記クーポン配信サーバが２地点間の距離と時刻情報から速度を算出するステップ２と、
前記クーポン配信サーバが算出された速度がある一定速度以上の場合は車で移動中と判断するステップ３と、
車で移動中であると判断した時、前記クーポン配信サーバが、近辺の電子クーポンのある店舗でかつ駐車場のある店舗を検索するステップ４と、
前記クーポン配信サーバが、検索した店舗の電子クーポンを前記携帯端末に配信するステップ５と、
からなることを特徴とする携帯端末を利用した割引情報配信方法。
【請求項２】
携帯端末とクーポン配信サーバとが公衆通信網基地局と公衆通信網を介して接続されたシステムにおいて、前記クーポン配信サーバは、
携帯端末から該携帯端末の２点間の位置情報と時刻情報と共に電子クーポン取得依頼を受信する受信手段と、
２地点間の距離と時刻情報から速度を算出する速度算出手段と、
該速度算出手段で算出された速度がある一定速度以上の場合は車で移動中と判断する判断手段と、
該判断手段が車で移動中であると判断した時、近辺の電子クーポンのある店舗でかつ駐車場のある店舗を検索する検索手段と、
検索した店舗の電子クーポンを前記携帯端末に配信する配信手段と、
を有することを特徴とする携帯端末を利用した割引情報配信システム。
【請求項３】
前記検索手段は、２点間の移動の前後関係から方向を判定し、車の場合は前方向の範囲で電子クーポンのある店舗を検出し、該当する店舗の電子クーポンを前記携帯端末に配信することを特徴とする請求項２記載の割引情報配信システム。
【請求項４】
前記携帯端末で位置情報取得時の時刻も記録し、位置情報と共に前記クーポン配信サーバに送信し、前記速度算出手段は移動距離と移動時間から速度を算出することを特徴とする請求項２記載の割引情報配信システム。
【発明の詳細な説明】
【技術分野】
【０００１】
本発明は割引情報配信方法及びシステムに関し、更に詳しくは飲食店等の割引サービスに利用される電子クーポンの取得に際して、利用者が地域情報や好みなどをその都度入力しなくても現在位置近隣店舗で有効利用できる電子クーポンが自動的に取得できる割引情報配信方法及びシステムに関する。
【背景技術】
【０００２】
従来の技術では、利用者がホームページ（ＨＰ）にアクセスして地域情報や好みなどを入力して検索することで対象の飲食店のクーポン券をダウンロードしていた。しかしながら、利用者が対象の店舗を検索する手間が必要であり、利便性が損なわれていた。これらの問題を解決するための技術として、利用者が煩雑な入力作業を行わなくても現在位置周辺で利用できる電子クーポンを自動的に取得できるシステムが知られている（例えば特許文献１参照）。また、利用者が予め嗜好情報を登録しておけば利用者の現在位置に応じて電子クーポンを自動的に配布してくれるシステムが知られている（例えば特許文献２参照）。
【先行技術文献】
【特許文献】
【０００３】
【特許文献１】特開２００３−１４１４０６号公報（段落０００７〜００１３、図１〜図３，図６，図７）
【特許文献２】特開２００１−２２９２５８号公報（段落００３０〜００４７、図２，図３）
【発明の概要】
【発明が解決しようとする課題】
【０００４】
上記した方法ではクーポン券を取得する利便性は向上するが、まだ課題がある。例えば、利用者が車で移動している場合などは駐車設備のある店舗のクーポン券でないと利用できない。更に、車で移動中の場合、進行方向と逆方向にある店舗のクーポン券を紹介されても甚だ不便な場合がある。本発明はこのような課題に鑑みてなされたものであって、その時の移動物体に応じた適切なクーポン券を取得することができる割引情報配信方法及びシステムを提供することを目的としている。
【課題を解決するための手段】
【０００５】
上記の問題を解決するために、本発明は以下のような構成をとっている。
（１）請求項１記載の発明は、携帯端末とクーポン配信サーバとが公衆通信網基地局と公衆通信網を介して接続されたシステムにおいて、前記クーポン配信サーバが携帯端末から該携帯端末の２点間の位置情報と時刻情報と共に電子クーポン取得依頼を受信するステップ１と、前記クーポン配信サーバが２地点間の距離と時刻情報から速度を算出するステップ２と、前記クーポン配信サーバが算出された速度がある一定速度以上の場合は車で移動中と判断するステップ３と、車で移動中であると判断した時、前記クーポン配信サーバが、近辺の電子クーポンのある店舗でかつ駐車場のある店舗を検索するステップ４と、前記クーポン配信サーバが、検索した店舗の電子クーポンを前記携帯端末に配信するステップ５と、からなることを特徴とする。
【０００６】
（２）請求項２記載の発明は、携帯端末とクーポン配信サーバとが公衆通信網基地局と公衆通信網を介して接続されたシステムにおいて、前記クーポン配信サーバは、携帯端末から該携帯端末の２点間の位置情報と時刻情報と共に電子クーポン取得依頼を受信する受信手段と、２地点間の距離と時刻情報から速度を算出する速度算出手段と、該速度算出手段で算出された速度がある一定速度以上の場合は車で移動中と判断する判断手段と、該判断手段が車で移動中であると判断した時、近辺の電子クーポンのある店舗でかつ駐車場のある店舗を検索する検索手段と、検索した店舗の電子クーポンを前記携帯端末に配信する配信手段と、を有することを特徴とする。
【０００７】
（３）請求項３記載の発明は、前記検索手段は、２点間の移動の前後関係から方向を判定し、車の場合は前方向の範囲で電子クーポンのある店舗を検出し、該当する店舗の電子クーポンを前記携帯端末に配信することを特徴とする。
【０００８】
（４）請求項４記載の発明は、前記携帯端末で位置情報取得時の時刻も記録し、位置情報と共にクーポン配信サーバに送信し、前記速度算出手段は移動距離と移動時間から速度を算出することを特徴とする。
【発明の効果】
【０００９】
（１）請求項１記載の発明によれば、車で移動中の場合でも、確実に有効利用できるクーポン券を取得することができる。
（２）請求項２記載の発明によれば、車で移動中の場合でも、確実に有効利用できるクーポン券を取得することができる。
【００１０】
（３）請求項３記載の発明によれば、車で移動中の場合において、前方向の範囲の店舗のクーポン券を配信するので、車で移動中の人にも確実に有効利用できるクーポン券を配信することができる。
【００１１】
（４）請求項４記載の発明によれば、移動距離と移動時間から当該携帯端末を有する移動物体の移動速度を算出することができる。
【図面の簡単な説明】
【００１２】
【図１】本発明の一実施例を示す構成図である。
【図２】本発明の動作の一例を示すフローチャートである。
【図３】本発明の動作の一例を示すフローチャートである。
【図４】本発明の動作の一例を示すフローチャートである。
【図５】利用者情報の構成例を示す図である。
【図６】店舗情報の構成例を示す図である。
【図７】クーポン券表示の例を示す図である。
【発明を実施するための形態】
【００１３】
以下、本発明の実施の形態について、詳細に説明する。図１は本発明の一実施例を示す構成図である。図において、１は携帯端末としての利用者携帯電話（以下携帯電話という）、２は該携帯電話１と無線で信号のやりとりを行なう公衆通信網基地局、３はクーポン配信のための制御動作を行なうクーポン配信サーバ、４は公衆通信網基地局２とクーポン配信サーバ３との間に設けられた公衆通信網である。
【００１４】
クーポン配信サーバ３としては、例えばコンピュータが用いられ、公衆通信網４としては、通常の電話網のみならず、ＩＳＤＮ網、ＬＡＮ網，インターネット網等を用いることができる。１Ａは携帯電話１に接続された無線通信用のアンテナ、２Ａは公衆通信網基地局２に接続された無線通信用のアンテナである。
【００１５】
利用者携帯電話１において、１ａは各種情報を表示する表示部、１ｂはデータの送受信を行なう送受信部、１ｃは当該携帯電話の位置を測定する位置測定部、１ｄは各種の演算処理を行なう他、各種の制御処理を行なう演算処理部、１ｃは各種データやコマンドを入力するための入力操作部である。表示部１ａとしては例えば液晶表示器（ＬＣＤ）が用いられる。位置測定部１ｃとしては、例えばＧＰＳが用いられる。演算処理部１ｄとしては、例えばマイクロプロセッサが用いられる。入力操作部１ｅとしては、例えばキーボードやファンクションキーが用いられる。
【００１６】
クーポン配信サーバ３において、３ａはデータの並び替えを行なうソート処理部、３ｃはデータベースを参照して必要なデータを検索する他各種の制御処理を行なう検索処理部、３ｄは位置情報の変換処理を行なう位置情報変換処理部、３ｆは店舗情報を記憶する店舗情報格納部、３ｇは利用者情報を記憶する利用者情報格納部である。
【００１７】
図２は利用者情報格納部３ｇに記憶される利用者情報の構成例を示す図である。この情報は、利用者ＩＤ、嗜好情報、ソート条件及び検索条件に分けられている。利用者ＩＤは図に示すように複数の数字の組み合わせから構成されている。例えば項１の場合の利用者ＩＤは“１２３４５６７８９０１２３４５０”の１６桁の数字から構成されている。ＩＤとしては、必ずしもここまで桁数を増やす必要はない。
【００１８】
次の嗜好情報はかなり多岐にわたっており、日本食，フレンチ，イタリアン，中華，アジアン，ファミレス，ファーストフード，その他，居酒屋，バー，スナックが記憶されている。図の○印が好みを表している。例えば項１の人は、日本食，フレンチ，イタリアン，中華，アジアン，ファミレスと、その他と居酒屋を選択している。次のソート条件は、人気順，近い順，予算順とならんでいる。項１の人は人気順に並べて欲しいことを示している。次の検索条件は、徒歩検索圏と、自動車検索圏と、表示件数と、閉店までの時間である。ここで、項１の場合徒歩検索圏は歩いて３分以内のところが希望であり、表示件数は必要な店舗を１０店まで表示してもらいたいということであり、閉店まで６０分であることを示している。
【００１９】
図３は店舗情報格納部３ｆに記憶される店舗情報の構成例を示す図である。この情報は、店舗情報と、クーポン情報と、ジャンルに分かれている。店舗情報は、店舗名と、住所と、電話番号と、営業時間と、定休日と駐車設備より構成されている。例えば、店舗「いりふね」は、住所が兵庫県加古川市であり、電話が０７９−＊＊であり、営業時間が１０：００〜２１：００であり、定休日が水曜日であり、駐車場設備はあることを示している。
【００２０】
クーポン情報は、クーポン券利用内容と、曜日指定と、利用時間指定と、その他から構成されている。例えば店舗が「いりふね」の場合、クーポン券の利用内容は「５０００円以上５００円引き」であり、曜日指定はなく、利用時間指定もない。次のジャンルは日本食，フレンチ，イタリアン，中華，アジアン，ファミレス，ファーストフード，その他，居酒屋，バー，スナックから構成されている。店舗が「いりふね」の場合、日本食のみ取り扱っていることを示している。このように構成されたシステムの概要を説明すれば、以下の通りである。
１）利用者は予めクーポン配信サーバ３に自らの嗜好情報や検索条件、配信時のソート条件を登録しておく（図２参照）。具体的には、入力操作部１ｅを操作して登録することになる。
２）利用者は、携帯電話１から公衆通信網４を介してクーポン配信サーバ３が設置されているサイトにアクセスし、設定された時間間隔の２地点の位置情報、利用者ＩＤ（ＦＯＭＡ（ＮＴＴの登録商標）カードナンバ、電話番号などの一意な識別番号）を送信し、クーポン券の取得依頼を行なう。ここで、時間間隔の２地点の位置情報とは、例えば２０分移動した時のその２地点の位置情報のことである。位置情報より２地点間の距離が分かるから移動物体の速度を計算することができる。
３）クーポン配信サーバ３は、利用者の利用者ＩＤを元に利用者情報格納部３ｇにアクセスして利用者を識別する。
４）クーポン配信サーバ３は、利用者情報格納部３ｇに登録されている利用者の登録情報を照合し、嗜好情報、検索条件、ソート条件を確認する。
５）クーポン配信サーバ３は、送られてきた現在位置情報から利用者の現在位置を確認する。
６）クーポン配信サーバ３は、選択された移動物体に応じて登録されている店舗情報格納部３ｆを参照して登録されている店舗を抽出する。
７）クーポン配信サーバ３は、その時点で有効利用できないクーポン券（例えば定休日や利用制限、時間指定されているものや駐車設備の有無など）を破棄する。
８）クーポン配信サーバ３は、利用者情報格納部３ｇに登録された店舗ソート条件に応じて抽出結果をソートする。
９）クーポン配信サーバ３は、利用者情報格納部３ｇに登録された表示件数に従い、登録された件数分のクーポン券と店舗情報を利用者の携帯電話１に返信しそれ以上のものは破棄する。
１０）利用者は返信されてきたクーポン券を表示部１ａに表示させ、当該店舗にそのクーポン券の表示をしてサービスを受ける。
【００２１】
以下、フローチャートに沿って、本発明の具体的な動作を説明する。図４〜図６は本発明の動作の一例を示すフローチャートである。先ず利用者は携帯電話１の入力操作部１ｅから利用者ＩＤ、嗜好情報、ソート条件，検索条件を入力し、送受信部１ｂから登録依頼をクーポン配信サーバ３に対して行なう（Ｓ１）。この登録依頼は、公衆通信網基地局２、公衆通信網４を経てクーポン配信サーバ３の送受信部３ｅで受け付けられる（Ｓ２）。そして、利用者情報格納部３ｇに登録される（Ｓ３）。登録がなされたら、送受信部３ｅは携帯電話１に対して登録完了の通知を行なう（Ｓ４）。携帯電話１では、送られてきた登録完了確認を演算処理部１ｄが行ない（Ｓ５）、処理を終了する。以上で、利用者情報格納部３ｇに利用者情報が登録完了したことになる。
【００２２】
次に、利用者は携帯電話１の入力操作部１ｅからクーポン券の配信依頼を行なう（Ｓ６）。この配信依頼は送受信部１ｂから公衆通信網４を介してクーポン配信サーバ３の送受信部３ｅに送信される。送受信部３ｅはクーポン券配信依頼を受け付けると（Ｓ７）、検索処理部３ｃが受付画面を作成し、携帯電話１に対して受付画面の送信を行なう（Ｓ８）。この受付画面は送受信部３ｅから公衆通信網４を介して携帯電話１に送信される。
【００２３】
携帯電話１の送受信部１ｂでこの受付画面を受け取ったら、演算処理部１ｄはその受付画面を表示部１ａに表示させる。利用者はこの受付画面を見ながら利用者ＩＤを入力する。位置情報（取得時間）は位置測定部１ｃで測定され、これらデータをクーポン配信サーバ３に送信する（Ｓ９）。これら利用者ＩＤと位置情報のデータは、送受信部３ｅで受け付けられる（Ｓ１０）。携帯電話１の移動速度を算出するため、携帯電話１は合計２点間の位置情報（取得時間）をクーポン配信サーバ３に送信する必要がある。
【００２４】
利用者ＩＤと位置情報が受け付けられたら、検索処理部３ｃは利用者情報格納部３ｇを検索して利用者ＩＤの照合を行なう（Ｓ１１）。照合の結果、利用者ＩＤが登録されていなかった場合には、送受信部３ｅから携帯電話１に登録画面が送信され、該携帯電話１では入力操作部１ｅから利用者ＩＤ、嗜好情報、ソート条件の入力を行ない、クーポン配信サーバ３の利用者情報格納部３ｇに登録する。
【００２５】
ステップＳ１１において、利用者ＩＤが登録されていた場合には、位置情報変換処理部３ｄは２つの位置情報から移動距離を算出する。検索処理部３ｃは２点間の移動距離と移動に要した時間から速度を算出する（Ｓ１４）。このように、本発明によれば、移動距離と移動時間から当該携帯電話１を有する移動物体の移動速度を算出することができる。
算出された速度が１０ｋｍ／ｈ以上であるかどうかチェックする（Ｓ１５）。ここでは、移動物体の移動速度の閾値を１０ｋｍ／ｈとし、１０ｋｍよりも速い場合は移動物体は車、１０ｋｍより遅い場合は移動物体は人であると判断している。
【００２６】
検索処理部３ｃは、速度が１０ｋｍ／ｈ以上であるかどうかチェックする（Ｓ１５）。１０ｋｍ／ｈ以上である場合、移動物体は車であるから、利用者情報格納部３ｇを参照して登録された移動距離範囲内で、店舗情報格納部３ｆを参照し、店舗を検索する（Ｓ１６）。この場合において、検索処理部３ｃは車の位置より前方向にある店舗のみを検索する。このようにすれば、車で移動中の場合において、前方向の範囲の店舗のクーポン券を配信するので、車で移動中の人にも確実に有効利用できるクーポン券を配信することができる。そして、当該店舗が利用者情報格納部３ｇを参照して登録範囲内であるかどうかチェックする（Ｓ１７）。登録範囲でない場合は店舗データを破棄する（Ｓ１００）。
【００２７】
登録範囲内であった場合、店舗情報格納部３ｆを参照して駐車設備はあるかどうかチェックする（Ｓ１８）。駐車設備がない場合は店舗データを破棄する（Ｓ１００）。ステップＳ１５で移動速度が１０ｋｍ／ｈ以下であった場合、徒歩移動ということになる。そこで、検索処理部３ｃは利用者情報格納部３ｇを参照し、店舗情報格納部３ｇを参照して登録された移動時間範囲の店舗を検索する（Ｓ１９）。
【００２８】
そして検索した店舗が登録範囲内であるかどうかチェックする（Ｓ２０）。登録範囲内でない場合には店舗データを破棄する（Ｓ１００）。登録範囲内である場合にはクーポン券が当該店舗にあるかどうかチェックする（Ｓ２１）。ステップＳ１８において、駐車設備がある場合もクーポン券があるかどうかチェックする（Ｓ２１）。クーポン券がない場合は店舗データを破棄する（Ｓ１００）。
【００２９】
クーポン券がある場合は検索処理部３ｃはその日が定休日かどうか店舗情報格納部３ｆを参照してチェックする（Ｓ２２）。定休日の場合は店舗データを破棄する（Ｓ１００）。定休日でない場合は、店舗情報格納部３ｆを参照して利用可能時間内かどうかチェックする（Ｓ２３）。利用可能時間内でない場合は店舗データを破棄する（Ｓ１００）。
【００３０】
利用可能時間内であった場合は、検索処理部３ｃは閉店までの時間が検索条件以下であるか以上であるかどうかチェックする（Ｓ２４）。検索条件以下であった場合は店舗データを破棄する（Ｓ１００）。検索条件以上であった場合は、ソート処理部３ａが登録されたソート条件に合わせて結果をソート（並び替え）する（Ｓ２５）。次に、検索処理部３ｃはソート処理部３ａでソートされたソート結果を、利用者情報格納部３ｇを参照して登録された表示件数と比較する（Ｓ２６）。
【００３１】
次に、検索処理部３ｃは、ソートされた数が利用者情報格納部３ｇに記憶されている登録件数以内であるかどうかチェックする（Ｓ２７）。ソートされた数が登録件数を超えていた場合は、検索処理部３ｃは登録件数以上のデータを破棄する（Ｓ２８）。ソートされた数が登録件数以内であったら、送受信部３ｅは処理結果を携帯電話１に送信する（Ｓ２９）。携帯電話１側では、送信されてきたデータを送受信部１ｂで受け、店舗情報、クーポン券を取得する（Ｓ３０）。
【００３２】
あとは、人が該当する店舗に出向き、当該店舗のレジで携帯電話１の表示部１ａにクーポン情報を表示するだけでいい。図７はクーポン券表示の例を示す図である。氏名と店舗名とサービスの内容が表示される。図の例では、食事代が５％ＯＦＦになることを示している。
【００３３】
上述の実施の形態では携帯端末として携帯電話を用いた場合を例にとった。しかしながら、本発明はこれに限るものではなく、その他の携帯端末、例えば無線機能を有するノートパソコン等を用いることができる。
【００３４】
以上説明したように、本発明によれば利用者が煩雑な入力操作や検索条件の入力を行なうことなく、その時の移動物体に応じた適切なクーポン券が取得できる。また、利用できないクーポン券が配信されてくることがなくなるため、無駄な通信費を削減することができる。また、移動物体が車で移動中の場合でも、確実に有効利用できるクーポン券を配信することができる。
【符号の説明】
【００３５】
１    利用者携帯電話
１ａ  表示部
１ｂ  送受信部
１ｃ  位置測定部
１ｄ  演算処理部
１ｅ  入力操作部
１Ａ  アンテナ
２    公衆通信網基地局
２Ａ  アンテナ
３    クーポン配信サーバ
３ａ  ソート処理部
３ｂ  嗜好情報処理部
３ｃ  検索処理部
３ｄ  位置情報変換処理部
３ｅ  送受信部
３ｆ  店舗情報格納部
３ｇ  利用者情報格納部
４    公衆通信網
【図１】
2010224884.tif 000003
【図２】
2010224884.tif 000004
【図３】
2010224884.tif 000005
【図４】
2010224884.tif 000006
【図５】
2010224884.tif 000007
【図６】
2010224884.tif 000008
【図７】
2010224884.tif 000009